(57)【要約】      （修正有）【課題】二次電池の価値を示す情報を有する電池情報管理サーバ、電池情報管理システム等の提供。【解決手段】電池情報管理サーバは、電池に接続された外部機器とネットワーク経由で前記外部機器から送信された前記電池の有する固有番号に基づいて暗号鍵及び復号鍵を生成する鍵生成手段と、前記復号鍵と前記固有番号とを対応付けて記憶する記憶手段と、前記暗号鍵を前記外部機器に送信する暗号鍵送信手段と、前記外部機器から送信された前記電池の有する固有番号に基づいて前記記憶手段により記憶されている前記復号鍵を取得する復号鍵取得手段と、前記外部機器から送信された暗号化された充放電情報を前記復号鍵取得手段により取得した前記復号鍵を用いて復号する復号手段と、復号された前記充放電情報に基づいて、前記電池の価値を示す価値情報を算出する価値情報算出手段と、前記価値情報を前記外部機器に送信する価値情報送信手段と、を具備する。【選択図】図１
2013218909.tif 000002
【特許請求の範囲】
【請求項１】
電気を蓄電する電池に接続された外部機器とネットワーク経由で通信を行なう電池情報管理サーバであって、
前記外部機器から送信された前記電池の有する固有番号に基づいて暗号鍵及び復号鍵を生成する鍵生成手段と、
前記復号鍵と前記固有番号とを対応付けて記憶する記憶手段と、
前記暗号鍵を前記外部機器に送信する暗号鍵送信手段と、
前記外部機器から送信された前記電池の有する固有番号に基づいて前記記憶手段により記憶されている前記復号鍵を取得する復号鍵取得手段と、
前記外部機器から送信された暗号化された充放電情報を前記復号鍵取得手段により取得した前記復号鍵を用いて復号する復号手段と、
復号された前記充放電情報に基づいて、前記電池の価値を示す価値情報を算出する価値情報算出手段と、
前記価値情報を前記外部機器に送信する価値情報送信手段と、
を具備する電池情報管理サーバ。
【請求項２】
前記価値情報算出手段は、前記外部機器から送信された巡回冗長検査符号と、復号された前記充放電情報とに基づいて、前記充放電情報が正当であるか否か判定し、
前記価値情報送信手段は、前記充放電情報が不当であると判定された場合、前記価値情報の算出が不可能であることを示す情報を前記外部機器に送信する、
請求項１に記載の電池情報管理サーバ。
【請求項３】
前記価値情報算出手段は、前記充放電情報に基づいて、前記電池の寿命または前記電池の金額を前記価値情報として算出する、請求項１に記載の電池情報管理サーバ。
【請求項４】
電池情報管理サーバとネットワーク経由で通信を行なう電池情報記録装置であって、
電気を蓄電する電池の固有番号を記憶する固有番号記憶手段と、
前記固有番号を前記電池情報管理サーバに送信し、前記電池情報管理サーバから返信された暗号鍵を受け取る暗号鍵受取手段と、
前記暗号鍵を記憶する暗号鍵記憶手段と、
前記電池に対する充放電に関する充放電情報を生成する充放電情報生成手段と、
前記充放電情報を前記暗号鍵により暗号化する暗号化手段と、
前記暗号化手段により暗号化された前記充放電情報を記憶する充放電情報記憶手段と、
を具備する電池情報記録装置。
【請求項５】
暗号化された前記充放電情報と、前記固有番号とを前記電池情報管理サーバに送信し、前記電池情報管理サーバから返信された前記電池の価値を示す価値情報を受け取る価値情報受取手段をさらに具備する請求項４に記載の電池情報記録装置。
【請求項６】
前記充放電情報生成手段により生成された前記充放電情報に基づいて巡回冗長検査符号を生成する巡回冗長検査符号生成手段をさらに具備し、
前記価値情報受取手段は、暗号化された前記充放電情報と、前記固有番号と、前記巡回冗長検査符号とを前記電池情報管理サーバに送信する、
請求項５に記載の電池情報記録装置。
【請求項７】
前記充放電情報生成手段は、前記電池に対する充放電の際の電流値、電圧値、及び前記電池の環境温度とを対応付けて充放電情報を生成する、請求項４に記載の電池情報記録装置。
【請求項８】
電気を蓄電する電池に接続された電池情報記録装置と、前記電池情報記録装置とネットワーク経由で通信を行なう電池情報管理サーバとを備える電池情報管理システムであって、
前記電池情報管理サーバは、
前記電池情報記録装置から送信された前記電池の有する固有番号に基づいて暗号鍵及び復号鍵を生成する鍵生成手段と、
前記復号鍵と前記固有番号とを対応付けて記憶する記憶手段と、
前記暗号鍵を前記電池情報記録装置に送信する暗号鍵送信手段と、
前記電池情報記録装置から送信された前記電池の有する固有番号に基づいて前記記憶手段により記憶されている前記復号鍵を取得する復号鍵取得手段と、
前記電池情報記録装置から送信された暗号化された充放電情報を前記復号鍵取得手段により取得した前記復号鍵を用いて復号する復号手段と、
復号された前記充放電情報に基づいて、前記電池の価値を示す価値情報を算出する価値情報算出手段と、
前記価値情報を前記電池情報記録装置に送信する価値情報送信手段と、
を具備し、
前記電池情報記録装置は、
前記電池の固有番号を記憶する固有番号記憶手段と、
前記固有番号を前記電池情報管理サーバに送信し、前記電池情報管理サーバから返信された暗号鍵を受け取る暗号鍵受取手段と、
前記暗号鍵を記憶する暗号鍵記憶手段と、
前記電池に対する充放電に関する充放電情報を生成する充放電情報生成手段と、
前記充放電情報を前記暗号鍵により暗号化する暗号化手段と、
前記暗号化手段により暗号化された前記充放電情報を記憶する充放電情報記憶手段と、
暗号化された前記充放電情報と、前記固有番号とを前記電池情報管理サーバに送信し、前記電池情報管理サーバから返信された前記電池の価値を示す価値情報を受け取る価値情報受取手段と、
を具備する電池情報管理システム。
【発明の詳細な説明】
【技術分野】
【０００１】
本発明の実施形態は、電池情報管理サーバ、電池情報記録装置、及び電池情報管理システムに関する。
【背景技術】
【０００２】
充電が可能な二次電池が一般的に実用化されている。二次電池は、自動車、二輪車、電車、エレベータ、または風力発電などに適用されている。例えば、鉛蓄電池、ニッケル水素電池、またはリチウムイオン電池などが二次電池として実用化されている。
【先行技術文献】
【特許文献】
【０００３】
【特許文献１】特開２００７−３３５１５７号公報
【発明の概要】
【発明が解決しようとする課題】
【０００４】
二次電池には、熱などによる劣化が大きいものがある。例えば、二次電池から放電時、または二次電池への充電時に熱が発生した場合、この熱により二次電池が劣化する可能性がある。劣化した二次電池は、蓄えることができる電力量が低下する。しかし、目視で二次電池の劣化の度合いを見分けることができない。この為、二次電池の再販売などの際に二次電池の価値を評価することができないという課題がある。
【０００５】
そこで、二次電池の価値を示す情報をユーザに提供することができる電池情報管理サーバ、電池情報記録装置、及び電池情報管理システムを提供することを目的とする。
【課題を解決するための手段】
【０００６】
一実施形態に係る電池情報管理サーバは、電気を蓄電する電池に接続された外部機器とネットワーク経由で通信を行なう電池情報管理サーバであって、前記外部機器から送信された前記電池の有する固有番号に基づいて暗号鍵及び復号鍵を生成する鍵生成手段と、前記復号鍵と前記固有番号とを対応付けて記憶する記憶手段と、前記暗号鍵を前記外部機器に送信する暗号鍵送信手段と、前記外部機器から送信された前記電池の有する固有番号に基づいて前記記憶手段により記憶されている前記復号鍵を取得する復号鍵取得手段と、前記外部機器から送信された暗号化された充放電情報を前記復号鍵取得手段により取得した前記復号鍵を用いて復号する復号手段と、復号された前記充放電情報に基づいて、前記電池の価値を示す価値情報を算出する価値情報算出手段と、前記価値情報を前記外部機器に送信する価値情報送信手段と、を具備する。
【図面の簡単な説明】
【０００７】
【図１】図１は、一実施形態に係る電池情報管理システムの構成例について説明するための図である。
【図２】図２は、一実施形態に係る電池情報管理サーバの例について説明するための図である。
【図３】図３は、一実施形態に係る電池情報記録装置の例について説明するための図である。
【図４】図４は、一実施形態に係る電池情報管理システムの処理の例について説明するための図である。
【図５】図５は、一実施形態に係る電池情報管理システムの処理の例について説明するための図である。
【図６】図６は、一実施形態に係る電池情報管理システムの処理の例について説明するための図である。
【図７】図７は、一実施形態に係る電池情報管理システムの処理の例について説明するための図である。
【発明を実施するための形態】
【０００８】
以下、図面を参照しながら、一実施形態に係る電池情報管理サーバ、電池情報記録装置、及び電池情報管理システムについて詳細に説明する。
【０００９】
図１は、一実施形態に係る電池情報管理システム１の構成例を示す。図２は、電池情報管理サーバ１００の構成の例を示す。また、図３は、電池情報管理サーバ１００の構成の例を示す。  
電池情報管理システム１は、電池情報管理サーバ１００と、二次電池２００に組み込まれた電池情報記録装置２２０とを備える。
【００１０】
二次電池２００のメーカー（電池メーカ）は、二次電池２００を製造した場合、二次電池２００に固有番号を付与する。電池メーカは、固有番号を付与した二次電池２００の登録申請を行う。電池メーカは、登録申請と、二次電池２００に付与した固有番号とを電池情報管理サーバ１００に送信する。例えば、電池メーカは、二次電池２００の発行の管理を行う端末により、固有番号の付与、及び登録申請を行う。
【００１１】
電池情報管理サーバ１００は、電池メーカから送信された二次電池２００の登録申請と固有番号とを受け取る。電池情報管理サーバ１００は、受け取った二次電池２００の固有番号を記憶する。また、電池情報管理サーバ１００は、電池メーカからの登録申請に応じて暗号鍵及び復号鍵を生成する。電池情報管理サーバ１００は、生成した復号鍵と二次電池２００の固有番号とを対応付けて記憶する。また、電池情報管理サーバ１００は、生成した暗号鍵を電池メーカに返送する。
【００１２】
二次電池２００の電池情報記録装置２２０は、電池情報管理サーバ１００から返送された暗号鍵を記憶する。上記したように製造された二次電池２００は、出荷され、自動車、二輪車、電車、またはエレベータなどのＥｌｅｃｔｒｉｃ  Ｖｅｈｉｃｌｅ（ＥＶ）などに搭載される。なお、本実施形態では、二次電池２００は、自動車に搭載されると仮定して説明する。
【００１３】
自動車に搭載された二次電池２００の電池情報記録装置２２０は、二次電池２００に対して行われた充放電に関する情報（充放電情報）を暗号鍵を用いて暗号化し、記録する。即ち、電池情報記録装置２２０は、暗号化された充放電情報を記録する。
【００１４】
例えば、自動車が中古車として売却される場合、自動車に搭載されている二次電池の価値を示す情報を利用者に提供できることが望ましい。そこで、二次電池２００の電池情報記録装置２２０は、一般的なパーソナルコンピュータ（ＰＣ）などの端末と通信を行なう事により、暗号化された充放電情報をＰＣに供給することができる。
【００１５】
ＰＣは、電池情報記録装置２２０から暗号化された充放電情報と、二次電池２００の固有番号とを読み出す。パーソナルコンピュータは、ネットワーク経由で、暗号化された充放電情報と、固有番号と、を含む二次電池２００の査定申請を電池情報管理サーバ１００に送信する。
【００１６】
電池情報管理サーバ１００は、査定申請を受信した場合、受信した査定申請に含まれている暗号化された充放電情報と、固有番号と、を取得する。電池情報管理サーバ１００は、既に記憶している複数の固有番号の中から、取得した固有番号と一致する固有番号を抽出する。電池情報管理サーバ１００は、抽出した固有番号に対応付けられている復号鍵を用いて暗号化された充放電情報を復号する。
【００１７】
さらに、電池情報管理サーバ１００は、復号した充放電情報に基づいて、二次電池２００の価値示す情報（価値情報）を算出する。電池情報管理サーバ１００は、二次電池２００の価値情報として、例えば、スコア、ランク、二次電池２００の寿命、または二次電池２００の価値に応じた金額を示す情報などを算出する。電池情報管理サーバ１００は、算出した価値情報をＰＣに返送する。
【００１８】
これにより、ＰＣを操作するユーザは、自動車に搭載された二次電池２００の適正な価値を認識することができる。このように、電池情報管理システム１は、二次電池２００の再販売に有用な価値情報を、二次電池２００を取り扱うユーザに提供することができる。
【００１９】
また、上記したようなＥＶでは、給電の回数を減らすために、大容量の二次電池２００を必要とする。しかし、例えば、マンションの非常電源用、再生可能エネルギーの充電用、またはＰＣの保守電源用などの用途では、大容量を必要としない場合が多い。そこで、劣化により容量が小さくなった、即ち寿命が短くなった二次電池２００が、自動車から取り外され定置用二次電池２００として再販売される場合がある。
【００２０】
このような場合、電池情報管理システム１は、二次電池２００の寿命を示す情報をユーザに提供する。これにより、電池情報管理システム１は、二次電池２００自体の価値を示す情報をユーザに提供することができる。即ち、電池情報管理システム１は、適正な価格で二次電池２００を売買するための情報を提供することができる。
【００２１】
また、電池情報管理システム１は、二次電池２００の寿命を示す情報をユーザに提供することにより、二次電池２００を回収するタイミングを判断するための情報をユーザに提供することができる。即ち、ユーザは、電池情報管理システム１により提供された二次電池２００の寿命に応じて、二次電池２００を電池メーカに回収させるか否かを判断することができる。これにより、電池情報管理システム１は、二次電池２００をユーザにより効率的に再利用させることができる。
【００２２】
図２に示されるように、電池情報管理サーバ１００は、ＣＰＵ１１０、ＲＯＭ１２０、ＲＡＭ１３０、記憶装置１４０、及び通信部１５０を備える。
【００２３】
ＣＰＵ１１０は、電池情報管理サーバ１００全体の制御を司る制御部として機能する。ＣＰＵ１１０は、ＲＯＭ１２０又は記憶装置１４０に記憶されている制御プログラム及び制御データに基づいて種々の処理を行う。
【００２４】
ＲＯＭ１２０は、予め制御用のプログラム及び制御データなどを記憶する不揮発性のメモリである。ＲＡＭ１３０は、ワーキングメモリとして機能する揮発性のメモリである。ＲＡＭ１３０は、ＣＰＵ１１０の処理中のデータなどを一時的に格納する。例えば、ＲＡＭ１３０は、通信部１５０を介して外部の機器と送受信するデータを一時的に格納する。また、ＲＡＭ１３０は、ＣＰＵ１１０が実行したプログラムを一時的に格納する。
【００２５】
記憶装置１４０は、例えばハードディスクドライブ、ソリッドステイトドライブ、または他の大容量のデータを記憶することができる記憶モジュールである。記憶装置１４０は、例えば、制御用のプログラム、制御データ、アプリケーション、及びアプリケーションに用いられるデータなどを記憶する。また、記憶装置１４０は、二次電池２００の固有番号と、復号鍵とを対応付けて記憶することができる。
【００２６】
また、図３に示されるように、二次電池２００は、電池２１０、電流検出器２１１、電圧検出器２１２、温度検出器２１３、及び電池情報記録装置２２０を備える。また、電池情報記録装置２２０は、ＣＰＵ２２１、アナログディジタル変換器２２２、Ｒｅａｌ  Ｔｉｍｅ  Ｃｌｏｃｋ（ＲＴＣ）２２３、不揮発性メモリ２２４、固有番号メモリ２２５、暗号鍵メモリ２２６、暗号化部２２７、及び通信部２２８を備える。
【００２７】
電池２１０は、外部の給電装置から供給された電力を蓄電する。電池２１０は、例えば、鉛蓄電池、ニッケル水素電池、またはリチウムイオン電池などである。
【００２８】
電流検出器２１１は、電池２１０から電気が放電された際の電流値、または、電池２１０に電気が蓄電された際の電流値を検出する。電圧検出器２１２は、電池２１０から電気が放電された際の電圧値、または、電池２１０に電気が蓄電された際の電圧値を検出する。電流検出器２１１及び電圧検出器２１２は、検出した電流値及び電圧値を電池情報記録装置２２０に供給する。
【００２９】
温度検出器２１３は、電池２１０の近傍の空気、または電池２１０の表面の温度を検出する。即ち、温度検出器２１３は、電池２１０の環境温度を検出する。温度検出器２１３は、検出した温度を電池情報記録装置２２０に供給する。
【００３０】
ＣＰＵ２２１は、電池情報記録装置２２０全体の制御を司る制御部として機能する。また、電池情報記録装置２２０は、ＣＰＵ２２１により実行されるプログラムなどを記憶するＲＯＭと、処理中のデータなどを一時的に格納するＲＡＭとをさらに備えていてもよい。
【００３１】
アナログディジタル変換器２２２は、アナログ信号をディジタル信号に変換する。アナログディジタル変換器２２２は、電流検出器２１１及び電圧検出器２１２から供給されたアナログの電流値及び電圧値をディジタル信号に変換する。アナログディジタル変換器２２２は、ディジタルの電流値及び電圧値をＣＰＵ２２１に供給する。
【００３２】
また、アナログディジタル変換器２２２は、温度検出器２１３から供給された温度を示すアナログ信号をディジタル信号に変換する。アナログディジタル変換器２２２は、ディジタルの温度値をＣＰＵ２２１に供給する。
【００３３】
ＲＴＣ２２３は、時刻を逐次カウントする計時手段である。ＲＴＣ２２３は、現時刻を示す情報をＣＰＵ２２１に供給する。
【００３４】
ＣＰＵ２２１は、電流値、電圧値、温度値、及び現時刻を対応付けて充放電情報を生成する。
【００３５】
不揮発性メモリ２２４は、種々の情報を記憶する記憶装置である。固有番号メモリ２２５は、予め電池メーカで電池２１０ごとに付与された固有番号を記憶するメモリである。暗号鍵メモリ２２６は、電池情報管理サーバ１００から送信された暗号鍵を記憶するメモリである。暗号化部２２７は、所定のアルゴリズムに基づいてディジタル信号を暗号化するプロセッサである。
【００３６】
ＣＰＵ２２１は、充放電情報を記録する場合、充放電情報を暗号化部２２７に供給する。また、ＣＰＵ２２１は、充放電情報を記録する場合、暗号鍵メモリ２２６から暗号鍵を読み出し、読み出した暗号鍵を暗号化部２２７に供給する。暗号化部２２７は、供給された暗号鍵を用いて、充放電情報を暗号化する。暗号化部２２７は、暗号化された充放電情報を不揮発性メモリ２２４に供給する。
【００３７】
不揮発性メモリ２２４は、供給された充放電情報を記憶する。なお、不揮発性メモリ２２４は、暗号化された充放電情報を書き換え不可能な状態で記憶する。
【００３８】
通信部２２８は、ネットワークに接続するためのインターフェースである。電池情報記録装置２２０は、通信部２２８によりネットワーク上の電池情報管理サーバ１００と通信することができる。
【００３９】
なお、運用時に固有番号、及び暗号鍵が変更される可能性が低い場合、固有番号メモリ２２５及び暗号鍵メモリ２２６は、書き換えが不可能なメモリ（Ｏｎｅ  Ｔｉｍｅ  Ｒｏｍ）などにより構成されることが望ましい。
【００４０】
また、ＲＴＣ２２３は、電源が供給されない状態になった場合にリセットされる構成が望ましい。これにより、電池情報記録装置２２０は、二次電池２００が分解されたか否かを判断する為の情報を記録することができる。また、ＲＴＣ２２３は、所定の認証処理などが行われた後に電源が供給されない状態になった場合にリセットせず、所定の認証処理などが行われずに電源が供給されない状態になった場合にリセットする構成であってもよい。
【００４１】
図４は、二次電池２００の登録処理の例を示す。  
上記したように、電池情報記録装置２２０は、固有番号メモリ２２５に記憶されている固有番号を含む二次電池２００の登録申請を通信部２２８によりネットワーク上の電池情報管理サーバ１００に送信する（ステップＳ１１）。
【００４２】
電池情報管理サーバ１００は、二次電池２００の登録申請を受信した場合、登録申請から二次電池２００の固有番号を取得する。電池情報管理サーバ１００は、取得した固有番号と、登録申請を受信した日時などの情報（センター管理情報）に基づいて、暗号鍵及び復号鍵を生成する（ステップＳ１２）。なお、電池情報管理サーバ１００は、公開鍵暗号方式により暗号鍵及び復号鍵を生成する場合、暗号鍵として公開鍵を生成し、復号鍵として秘密鍵を生成する。
【００４３】
電池情報管理サーバ１００は、固有番号と生成した復号鍵とを対応付けて記憶装置１４０に記憶する（ステップＳ１３）。さらに、電池情報管理サーバ１００は、生成した暗号鍵を二次電池２００の電池情報記録装置２２０に返送する（ステップＳ１４）。
【００４４】
二次電池２００の電池情報記録装置２２０は、電池情報管理サーバ１００から返送された暗号鍵を暗号鍵メモリ２２６に記憶する（ステップＳ１５）。これにより、電池情報記録装置２２０は、充放電の際に検出された充放電情報を暗号鍵により暗号化し、不揮発性メモリ２２４に記録することができる。
【００４５】
図５は、二次電池２００による充放電情報を記録する処理の例を示す。  
例えば、電池情報記録装置２２０は、電流検出器２１１により電流の変化があるか否かを逐次検出する（ステップＳ２１）。電流の変化があった場合、電池情報記録装置２２０は、電流検出器２１１、電圧検出器２１２、及び温度検出器２１３により、電圧値、電流値、及び電池２１０の環境温度をそれぞれ測定する（ステップＳ２２）。なお、電池情報記録装置２２０は、電流値が＋の値である場合、充電が行われたと判断する。また、電池情報記録装置２２０は、電流値が−の値である場合、放電が行われたと判断する。
【００４６】
電池情報記録装置２２０は、電流検出器２１１、電圧検出器２１２、及び温度検出器２１３により検出された電圧値、電流値、及び環境温度、及び日時を対応付けてひとつの充放電情報を生成する。電池情報記録装置２２０は、暗号鍵メモリ２２６に記憶されている暗号鍵を用いて、充放電情報を暗号化する（ステップＳ２３）。またさらに、電池情報記録装置２２０は、充放電情報に基づいてＣＲＣ（巡回冗長検査）符号を生成する。電池情報記録装置２２０は、暗号鍵メモリ２２６に記憶されている暗号鍵を用いて、巡回冗長検査符号を暗号化する。電池情報記録装置２２０は、暗号化した充放電情報と巡回冗長検査符号とを不揮発性メモリ２２４に記憶し（ステップＳ２４）、ステップＳ２１にループする。
【００４７】
電池情報記録装置２２０は、ステップＳ２１乃至ステップＳ２４の処理を逐次行うことにより、電池２１０に対する充放電のログを暗号化した状態で記録することができる。
【００４８】
図６は、二次電池２００の価値の判定処理の例を示す。  
二次電池２００の価値を示す情報を取得する場合、電池情報記録装置２２０は、ＰＣなどの端末経由、または直接、固有番号と査定申請とを電池情報管理サーバ１００に送信する（ステップＳ３１）。
【００４９】
電池情報管理サーバ１００は、受信した固有番号と一致する固有番号を、記憶装置１４０に記憶されている複数の固有番号の中から抽出する。電池情報管理サーバ１００は、抽出した固有番号に対応付けられている復号鍵を取得する（ステップＳ３２）。
【００５０】
また、電池情報記録装置２２０は、ＰＣなどの端末経由、または直接、不揮発性メモリ２２４に記憶されている暗号化された充放電情報を電池情報管理サーバ１００に送信する（ステップＳ３３）。
【００５１】
電池情報管理サーバ１００は、暗号化された充放電情報を受信する。電池情報管理サーバ１００は、暗号化された充放電情報を上記の処理により取得した復号鍵を用いて復号する（ステップＳ３４）。
【００５２】
さらに、電池情報管理サーバ１００は、復号した充放電情報に基づいて、二次電池２００の価値示す情報（価値情報）を算出する（ステップＳ３５）。電池情報管理サーバ１００は、算出した価値情報を電池情報記録装置２２０または電池情報記録装置２２０に接続されたＰＣに返送する（ステップＳ３６）。
【００５３】
電池情報記録装置２２０または電池情報記録装置２２０に接続されたＰＣは、受け取った価値情報を表示する（ステップＳ３７）。
【００５４】
これにより、ユーザは、二次電池２００の適正な価値を認識することができる。このように、電池情報管理システム１は、二次電池２００の再販売に有用な価値情報を、二次電池２００を取り扱うユーザに提供することができる。この結果、二次電池２００の価値を示す情報をユーザに提供することができる電池情報管理サーバ、電池情報記録装置、及び電池情報管理システムを提供することができる。
【００５５】
なお、電池情報管理サーバ１００は、上記の処理により生成された巡回冗長検査符号を用いて、充放電情報が改竄されたか否か判定する構成であってもよい。
【００５６】
図７は、電池情報管理サーバ１００による処理の例を示す。  
この場合、電池情報記録装置２２０は、図６に示されたステップＳ３３で、不揮発性メモリ２２４に記憶されている暗号化された充放電情報と、この充放電情報の巡回冗長検査符号とを電池情報管理サーバ１００に送信する。
【００５７】
電池情報管理サーバ１００は、電池情報記録装置２２０から送信された固有番号を受信する（ステップＳ４１）。電池情報管理サーバ１００は、受信した固有番号に基づいて、復号鍵を取得する（ステップＳ４２）。
【００５８】
また、電池情報管理サーバ１００は、暗号化された充放電情報と巡回冗長検査符号とを受信する。電池情報管理サーバ１００は、受信した充放電情報を復号鍵を用いて復号する（ステップＳ４３）。
【００５９】
電池情報管理サーバ１００は、復号された充放電情報が正当であるか否か判定する（ステップＳ４４）。即ち、電池情報管理サーバ１００は、復号された充放電情報と、巡回冗長検査符号とに基づいて、巡回冗長検査を行なう。これにより、電池情報管理サーバ１００は、充放電情報が正しく復号されたか否か判断する。即ち、電池情報管理サーバ１００は、復号された充放電情報が改竄されているか否か判断する。
【００６０】
充放電情報が正当であると判定した場合、電池情報管理サーバ１００は、復号した充放電情報に基づいて、二次電池２００の価値情報を算出する（ステップＳ４５）。電池情報管理サーバ１００は、算出した価値情報を電池情報記録装置２２０または電池情報記録装置２２０に接続されたＰＣに返送する（ステップＳ４６）。
【００６１】
また、充放電情報が正当ではないと判定した場合、電池情報管理サーバ１００は、充放電情報が改竄されている可能性があると判断する（ステップＳ４７）。この場合、電池情報管理サーバ１００は、価値情報の算出が不可能である旨のメッセージを電池情報記録装置２２０または電池情報記録装置２２０に接続されたＰＣに返送する（ステップＳ４８）。
【００６２】
これにより、ユーザは、二次電池２００の充放電情報が不当に改竄されていることを認識することができる。このように、電池情報管理サーバ１００は、二次電池２００の価値をより適切に判断する為の情報をユーザに提供することができる。
【００６３】
なお、電池情報管理サーバ１００は、復号した充放電情報の日時が異常な値になっているときに充放電情報が不当であると判断する構成であってもよい。
【００６４】
また、二次電池２００の寿命を算出するためのパラメータは、電池のメーカ及び種類毎に異なる可能性がある。そこで、電池情報管理サーバ１００は、メーカ毎、または、電池の種類毎のパラメータを予め複数記憶する。電池情報管理サーバ１００は、記憶している複数のパラメータから、二次電池２００に応じたパラメータを読み出し、価値情報の算出に用いる、これにより、電池情報管理サーバ１００は、より正確に価値情報を算出することができる。
【００６５】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６７】
１…電池情報管理システム、１００…電池情報管理サーバ、１１０…ＣＰＵ、１２０…ＲＯＭ、１３０…ＲＡＭ、１４０…記憶装置、１５０…通信部、２００…二次電池、２１０…電池、２１１…電流検出器、２１２…電圧検出器、２１３…温度検出器、２２０…電池情報記録装置、２２１…ＣＰＵ、２２２…アナログディジタル変換器、２２３…ＲＴＣ、２２４…不揮発性メモリ、２２５…固有番号メモリ、２２６…暗号鍵メモリ、２２７…暗号化部、２２８…通信部。
【図１】
2013218909.tif 000003
【図２】
2013218909.tif 000004
【図３】
2013218909.tif 000005
【図４】
2013218909.tif 000006
【図５】
2013218909.tif 000007
【図６】
2013218909.tif 000008
【図７】
2013218909.tif 000009